(57)【要約】【課題】既存のオーディオセットなどにデジタル衛星放送受信用のチューナを接続することを可能とするデジタル衛星放送受信装置を提供する。【解決手段】既存のオーディオセット２０が有しているＣＤチェンジャーに接続するための接続手段を利用し、ＣＤチェンジャーとオーディオセットとの間で行っている通信プロトコルを利用することにより、既存のオーディオセットとデジタル衛星放送受信用のチューナ１２との間での制御信号などの授受を可能としている。【選択図】        図２
2004235929.tif 000002
【特許請求の範囲】
【請求項１】
ＣＤチェンジャーに接続するための接続手段を有するオーディオセットに前記接続手段を介して接続可能なデジタル衛星放送受信装置であって、
デジタル衛星放送を受信し、外部からの制御信号により、所望のチャネルを選択するデジタル衛星放送チューナと、
前記オーディオセットの操作手段により、前記デジタル衛星放送チューナの制御を行い、かつ前記デジタル衛星放送チューナで受信した信号から得られたデータを文字として前記オーディオセットの表示部に表示するよう前記接続手段を介した前記オーディオセットと前記デジタル衛星放送受信装置間の通信を行うインターフェイス手段とを、
有するデジタル衛星放送受信装置。
【請求項２】
ＣＤチェンジャーに接続するための接続手段を有するオーディオセットに前記接続手段を介して接続可能なデジタル衛星放送受信装置であって、
デジタル衛星放送を受信し、外部からの制御信号により、所望のチャネルを選択するデジタル衛星放送チューナと、
前記デジタル衛星放送チューナで受信したデジタル衛星放送の信号に応じて所定の文字表示を行うためのデータを作成するデコーダと、
前記外部からの制御信号として、前記接続手段を介して、前記オーディオセットから信号を受信し、かつ受信したデジタル衛星放送の信号と前記データを前記オーディオセットに送信するためのインターフェイス手段とを、
有するデジタル衛星放送受信装置。
【請求項３】
前記オーディオセットがデジタル衛星放送受信用のフォーマットに対応しているか否かを判断する手段と、前記オーディオセットが前記デジタル衛星放送受信用のフォーマットに対応している場合は、その機能を利用するよう設定する手段と、前記オーディオセットが前記デジタル衛星放送受信用のフォーマットに対応していない場合は、前記オーディオセットの所定の選択手段により生成された信号を前記制御信号として設定する手段とを有する請求項１又は２に記載のデジタル衛星放送受信装置。
【発明の詳細な説明】
【０００１】
【発明の属する技術分野】
本発明は、放送受信機に関し、特にデジタル衛星放送受信装置に関する。
【０００２】
【従来の技術】
デジタル衛星放送の普及にともない、専用の受信機を用いてデジタル衛星放送を受信するようになってきている（例えば、下記の特許文献１、特許文献２参照）。しかし、既存のラジオやオーディオセットを利用してデジタル衛星放送を受信できるようにするためには、既存のセットにデジタル衛星放送受信用のチューナを付加する必要がある。
【０００３】
【特許文献１】
特開平１１−２６１５０１号公報（図１）
【特許文献１】
特開平１１−２５１９４１号公報（図１）
【０００４】
【発明が解決しようとする課題】
しかし、従来の既存のラジオやオーディオセットを利用してデジタル衛星放送を受信できるようにするためには、既存のセットとデジタル衛星放送受信用のチューナを接続するための専用のコネクタやケーブルが必要となり、また両者間の信号授受を行うための通信フォーマットを決める必要があり、簡単に既存のセットにデジタル衛星放送受信用のチューナを接続することはできなかった。
【０００５】
したがって、本発明は簡単に既存のオーディオセットなどにデジタル衛星放送受信用のチューナを接続することを可能とするデジタル衛星放送受信装置を提供することを目的とする。
【０００６】
【課題を解決するための手段】
本発明のデジタル衛星放送受信装置は、ＣＤチェンジャーに接続するための接続手段を有するオーディオセットに前記接続手段を介して接続可能であって、
デジタル衛星放送を受信し、外部からの制御信号により、所望のチャネルを選択するデジタル衛星放送チューナと、
前記オーディオセットの操作手段により、前記デジタル衛星放送チューナの制御を行い、かつ前記デジタル衛星放送チューナで受信した信号から得られたデータを文字として前記オーディオセットの表示部に表示するよう前記接続手段を介した前記オーディオセットと前記デジタル衛星放送受信装置間の通信を行うインターフェイス手段とを、
有する構成とした。
【０００７】
この構成により、デジタル衛星放送受信装置をオーディオセットのＣＤチェンジャー接続手段を介して接続するだけで、オーディオセットの操作手段により、チューナの選局制御を行い、かつチューナで受信した信号から得られたデータ、すなわち放送局名や音楽の曲名や演奏者名などを文字としてオーディオセットの表示部に表示することができる。
【０００８】
また本発明のデジタル衛星放送受信装置は、ＣＤチェンジャーに接続するための接続手段を有するオーディオセットに前記接続手段を介して接続可能であって、
デジタル衛星放送を受信し、外部からの制御信号により、所望のチャネルを選択するデジタル衛星放送チューナと、
前記デジタル衛星放送チューナで受信したデジタル衛星放送の信号に応じて所定の文字表示を行うためのデータを作成するデコーダと、
前記外部からの制御信号として、前記接続手段を介して、前記オーディオセットから信号を受信し、かつ受信したデジタル衛星放送の信号と前記データを前記オーディオセットに送信するためのインターフェイス手段とを、
有する構成とした。
【０００９】
この構成により、デジタル衛星放送受信装置をオーディオセットのＣＤチェンジャー接続手段を介して接続するだけで、オーディオセットの操作手段により、チューナの選局制御を行い、かつチューナで受信した信号から得られたデータ、すなわち放送局名や音楽の曲名や演奏者名などを文字としてオーディオセットの表示部に表示することができる。
【００１０】
また本発明のデジタル衛星放送受信装置は、上記構成に加えて前記オーディオセットがデジタル衛星放送受信用のフォーマットに対応しているか否かを判断する手段と、前記オーディオセットが前記デジタル衛星放送受信用のフォーマットに対応している場合は、その機能を利用するよう設定する手段と、前記オーディオセットが前記デジタル衛星放送受信用のフォーマットに対応していない場合は、前記オーディオセットの所定の選択手段により生成された信号を前記制御信号として設定する手段とを有する構成とした。
【００１１】
この構成により、オーディオセットのデジタル衛星放送受信への対応の有無に応じて適切な設定が可能となる。
【００１２】
【発明の実施の形態】
以下、図面を参照して本発明の好ましい実施の形態について説明する。図１は本発明に係るデジタル衛星放送受信装置の好ましい実施の形態が既存のオーディオセットに接続された状態を示す外観図である。図２は、図１の構成の内部構造を示すブロック図である。
【００１３】
図１、図２において、デジタル衛星放送受信装置１０は、デジタル衛星放送受信用のチューナ（以下単にチューナとも言う）１２を有し、このチューナ１２は、アンテナ１２Ａにフィーダ１２Ｂを介して接続されている。デジタル衛星放送受信装置１０は、更にチューナ１２の出力信号に応答するデコーダ１４と、ＣＰＵ（中央演算処理装置）１６と、インターフェイス（Ｉ／Ｆ）１８を有している。デコーダ１４は、チューナ１２の出力信号に含まれている、様々な情報（放送曲名、放送内容のカテゴリ、音楽の曲名、演奏者名など）を文字としてデコードし、インターフェイス１８を介してオーディオセット２０に送るものである。ＣＰＵ１６は、チューナ１２とデコーダ１４をそれぞれ制御するものであるが、その動作は、図示省略のメモリから読み出された基本プログラムに従う。なお、後述するように、オーディオセット２０から送られる外部制御信号が受信されると、ＣＰＵ１６は、チューナ１２に対して選局指示信号を送り、所望の局を選局する。
【００１４】
オーディオセットとしてここでは、自動車に搭載されるカーオーディオを例にとり説明する。一般にカーオーディオは、ＡＭ／ＦＭチューナと、その受信信号を増幅したり、ＣＤプレーヤ又はＣＤチェンジャーからの再生信号を増幅するアンプを有しているが、この実施の形態ではオーディオセット２０が、ＡＭ／ＦＭチューナ４０と、その受信信号を増幅したり、図示省略のＣＤチェンジャーからの再生信号を増幅するアンプ４４を有しているものとして説明する。ＡＭ／ＦＭチューナ４０はフィーダ２９Ｂを介してアンテナ２９Ａに接続されている。
【００１５】
操作つまみ２２、２４、２６が設けられているが、操作つまみ２２は、ＣＤチェンジャーのディスクを切り換えるためのディスク切換用つまみである。操作つまみ２４は、トラックを切り換えるためのトラック切換つまみである。操作つまみ２６は、音量調整用つまみである。これらのつまみ２２、２４、２６はＣＰＵ４６に接続されている。ＡＭ／ＦＭチューナ４０の出力信号はマルチプレクサ（ＭＰＸ）４２を介してアンプ４４に供給される。アンプ４４の出力信号は外部のスピーカ２７に供給される。ＣＰＵ４６は、インターフェイス（Ｉ／Ｆ）４８を介してコネクタ３２に接続され、ケーブル３０を介してチューナ１２のコネクタ３４に接続されている。またＣＰＵ４６は、ＡＭ／ＦＭチューナ４０、アンプ４４、マルチプレクサ４２にそれぞれ接続されている。
【００１６】
図２の構成は次のように動作する。オーディオセット２０のコネクタ３２は、通常はＣＤチェンジャーが接続されるためのものであるが、ここでは、ＣＤチェンジャーを接続せず、その代わりにデジタル衛星放送受信装置１０を接続している。オーディオセット２０のインターフェイス４８は、ディスク切換用つまみ２２と、トラック切換つまみ２４の操作に応じてＣＰＵ４６が生成する制御信号を所定のプロトコルに従ってＣＤチェンジャーに送信し、またＣＤチェンジャーからの信号を受信してＣＰＵ４６に送る機能を有している。したがって、デジタル衛星放送受信装置１０のインターフェイス１８が、ＣＤチェンジャーの有するインターフェイスと同様のものであれば、オーディオセット２０側からの操作により、あたかもＣＤチェンジャーを操作するのと全く同様の態様でデジタル衛星放送受信装置１０を操作することができるのである。
【００１７】
ディスク切換用つまみ２２によりチューナ１２が受信する放送コンテンツのカテゴリの表示切換を可能としている。カテゴリには、「ロック」、「ジャズ」、「クラシック」などが含まれ、各カテゴリに応じた周知のグラフィックイコライザ制御が可能となる。トラック切換つまみ２４は、チューナ１２の選局動作、すなわちチャネル切換に用いられる。トラック切換つまみ２４の操作に応じた制御信号がＣＰＵ４６で生成されると、この制御信号はインターフェイス４８、コネクタ３２、ケーブル３０、コネクタ３４、インターフェイス１８を介してＣＰＵ１６に与えられ、チューナ１２の選局を制御する信号がＣＰＵ１６により生成される。
【００１８】
チューナ１２は、アンテナ１２Ａで受信した電波に含まれる放送信号からユーザが選局した所望の放送局の信号を抽出してデコーダ１４に送る。デコーダ１４は、信号中に含まれる様々な情報、すなわち放送局名や音楽の曲名やカテゴリ、演奏者名などを文字信号として抽出する。チューナ１２の出力信号とデコーダ１４の出力信号はインターフェイス１８を介してオーディオセット２０に送られる。ＣＰＵ４６は、ディスク切換用つまみ２２と、トラック切換つまみ２４の操作に応じて表示部２８に表示する文字の表示制御をも行っている。したがって、いま、ディスク切換用つまみ２２によりカテゴリとして「ジャズ」が選択され、トラック切換つまみ２４により、チャネル８が選択されたものと仮定すると、表示部には、例えば図２の表示部２８に表示されているように、「ＣＨ８」、「サテライトヨコハマ」、「ジャズ」のように、チャネル番号、局名、カテゴリが表示され、さらに、音楽が受信されると、図２中、「○○○」で示される局名や、演奏者（歌手）名などが表示される。
【００１９】
カテゴリの選択に応じてＣＰＵ４６は、グラフィックイコライザ制御を行うべく、アンプ４４の周波数特性を制御する。また、音量調整用つまみ２６の操作によりＣＰＵ４６はアンプ４４の増幅度を制御する。なお、マルチプレクサ４２は、ＣＰＵ４６の制御により、ＡＭ／ＦＭチューナ４０の出力信号と、デジタル衛星放送受信装置１０から送られＣＰＵ４６を介して送出される信号の一方を選択してアンプ４４に供給している。
【００２０】
上記実施の形態は、従来のオーディオセット２０に本発明のデジタル衛星放送受信装置１０を接続した場合として説明したが、オーディオセット自体にデジタル衛星放送用チューナに接続することを想定して種々の表示形態などが用意されている場合、すなわちデジタル衛星放送チューナ接続対応型の場合は、その機能を用いることができる。デジタル衛星放送受信装置１０が最初にオーディオセットに接続されるときは、そのオーディオセットがデジタル衛星放送チューナ接続対応型か否かが不明である。そこで、図３のフローチャートに示す動作により、これを確認する。
【００２１】
すなわち、ステップＳ１で、デジタル衛星放送受信装置１０が外部機器と接続されたことが確認されると、ステップＳ２で当該外部機器がデジタル衛星放送チューナ接続対応型か否かが判断される。この判断は、外部機器から送られる通信データの最後の３ビットを検出することで可能である。デジタル衛星放送チューナ接続対応型であれば、ステップＳ３で新フォーマットを採用し、デジタル衛星放送チューナ接続対応型でない場合は、ステップＳ４で旧フォーマットを採用する。旧フォーマットを採用した場合は、上記図２の実施の形態で説明したような動作が行われる。一方、新フォーマットを採用すると、図示省略のデジタル衛星放送チューナ接続対応型のオーディオセットにより、あらかじめ用意されているチャネル番号や、カテゴリ番号などの表示機能や制御機能などが用いられる。
【００２２】
上記実施の形態は、オーディオセット２０のコネクタ３２に通常接続されるべきＣＤチェンジャーに代えてデジタル衛星放送受信装置１０のみを接続している場合について説明したが、オーディオセット２０には、図示省略のＣＤチェンジャーをも接続することが可能である。この場合、オーディオセット２０は、接続されたものがデジタル衛星放送受信装置１０であるか、ＣＤチェンジャーであるか、あるいは双方であるかを電源投入直後の通信で確認する。すなわち、通信が開始したら、フォーマット切換コマンドを送信し、一定時間内にフォーマットが変われば、デジタル衛星放送受信装置１０であると判断し、フォーマットが変わらなければ、ＣＤチェンジャーであると判断する。
【００２３】
【発明の効果】
以上説明したように本発明によれば、既存のオーディオセットが有しているＣＤチェンジャーに接続するための接続手段を利用し、ＣＤチェンジャーとオーディオセットとの間で行っている通信プロトコルを利用することにより、既存のオーディオセットとデジタル衛星放送受信用のチューナとの間での制御信号などの授受を可能としている。したがって、デジタル衛星放送受信装置をオーディオセットのＣＤチェンジャー接続手段を介して接続するだけで、オーディオセットの操作手段により、チューナの選局制御を行い、かつチューナで受信した信号から得られたデータ、すなわち放送局名や音楽の曲名や演奏者名などを文字としてオーディオセットの表示部に表示することができるという優れた効果を奏する。
【図面の簡単な説明】
【図１】本発明に係るデジタル衛星放送受信装置の好ましい実施の形態がオーディオセットに接続された状態を示す外観図
【図２】図１の構成の内部構造を示すブロック図
【図３】図２に示したデジタル衛星放送受信装置中のＣＰＵの動作を示すフローチャート
【符号の説明】
１０  デジタル衛星放送受信装置
１２  デジタル衛星放送受信用のチューナ
１２Ａ、２９Ａ  アンテナ
１２Ｂ、２９Ｂ  フィーダ
１４  デコーダ
１６、４６  ＣＰＵ（中央演算処理装置）
１８、４８  インターフェイス（Ｉ／Ｆ）
２０  オーディオセット
２２  ディスク切換用つまみ
２４  トラック切換つまみ
２６  音量調整用つまみ
２７  スピーカ
２８  表示部
３０  ケーブル
３２、３４  コネクタ（接続手段）
４０  ＡＭ／ＦＭチューナ
４２  マルチプレクサ（ＭＰＸ）
４４  アンプ
【図１】
2004235929.tif 000003
【図２】
2004235929.tif 000004
【図３】
2004235929.tif 000005